(57)【要約】【課題】接触型の充電端子を有し、充電時の浮きを防止し、更に小型・軽量化した充電器を提供することである。【解決手段】充電器１０は、開口形状が略コ字型で、内面に充電端子１５ａ、１５ｂと内面の側壁１２ａにロック爪１３とを設けた凹部１１を備え、ロック爪１３を設けていない凹部１１の内面の互いに対向する側壁１２ｂ、１２ｃにそれぞれ電子機器の装着方向に沿って突条のガイドリブ１４ａ、１４ｂを形成し、ガイドリブ１４ａ、１４ｂに電子機器の溝部を挿嵌させ、ロック爪１３と電子機器の受け部が係合した状態で、充電端子１５ａ、１５ｂと電子機器の充電端子が接触して充電可能となる。【選択図】      図１
2004187341.tif 000002
【特許請求の範囲】
【請求項１】
電子機器の充電端子に接触する充電端子を有する充電器において、
内面に前記充電端子と内面の側壁にロック爪とを設けた凹部を備え、
前記ロック爪と前記電子機器の受け部が係合した状態で、本充電器の充電端子と前記電子機器の充電端子が接触して充電可能となることを特徴とする充電器。
【請求項２】
前記凹部の内面の側壁に前記電子機器の装着方向に沿って突条のガイドリブを形成し、
該ガイドリブに前記電子機器の溝部を挿嵌させることを特徴とする請求項１記載の充電器。
【請求項３】
前記凹部の内面の側壁に前記電子機器の装着方向に沿って溝部を形成し、
該溝部に前記電子機器の突条のガイドリブを挿嵌させることを特徴とする請求項１記載の充電器。
【請求項４】
前記凹部の側壁にスリットを設けることを特徴とする請求１〜３の何れかに記載の充電器。
【請求項５】
電子機器の充電端子に接触する充電端子を有する充電器において、
開口形状が略コ字型で、内面に前記充電端子と内面の側壁にロック爪とを設けた凹部を備え、
前記ロック爪を設けていない前記凹部の内面の互いに対向する側壁にそれぞれ前記電子機器の装着方向に沿って突条のガイドリブを形成し、
該ガイドリブに前記電子機器の溝部を挿嵌させ、前記ロック爪と前記電子機器の受け部が係合した状態で、本充電器の充電端子と前記電子機器の充電端子が接触して充電可能となることを特徴とする充電器。
【発明の詳細な説明】
【０００１】
【発明の属する技術分野】
本発明は、電子機器の充電端子に接触する接触型の充電器に関するものである。
【０００２】
【従来の技術】
従来、携帯電話機、ＰＤＡ（Ｐｅｒｓｏｎａｌ  Ｄｉｇｉｔａｌ  ａｓｓｉｓｔａｎｔｓ）等の小型電子機器分野においては、携帯性を重視し、一般に機器本体と充電器を分離している。例えば、図４に、電源ジャックを有するタイプの電子機器の一例を示す。電子機器１００にはジャックソケット１０１が設けられ、電源（不図示）に繋がる電源ジャック１０２に接続することにより電子機器１００を使用することができる。また、図５に、システム端子を併用した充電端子を有するタイプの電子機器の一例を示す（特許文献１参照）。電子機器１１０には共通充電端子１１１が設けられ、充電器（不図示）に繋がる充電用ジャック１１２に接続することにより電子機器１１０を充電することができる。
【０００３】
上記の電子機器１００、１１０は機器内にジャックソケット１０１、共通充電端子１１１を設けるスペースが必要なため、機器の小型化を妨げていた。
【０００４】
また、図６は、縦型の投げ込みタイプの電子機器と充電器の外観斜視図である（特許文献２参照）。電子機器１２０には充電端子１２１が設けられ、充電器１２２に電子機器１２０が挿入されたときに、充電器１２２の充電端子１２３と電子機器１２０の充電端子１２１とが接触することにより充電することができる。
【０００５】
また、図７は、横型の機器全体を受けるタイプの電子機器と充電器の外観斜視図である（特許文献３参照）。電子機器１３０には充電端子１３１が設けられ、充電器１３２に電子機器１３０が載置されたときに、充電器１３２の充電端子１３３と電子機器１３０の充電端子１３１とが接触することにより充電することができる。
【０００６】
上記の電子機器１２０、１３０は接触型の充電端子１２１、１３１を採用することにより機器は小型化されているが、充電器１２２、１３２は小型化されていない。
【０００７】
【特許文献１】
特開平１０−６９９２６号公報
【特許文献２】
特開平７−２０３０６７号公報
【特許文献３】
実開平３−５６２４７号公報
【０００８】
【発明が解決しようとする課題】
上記のように、電子機器の小型化のために電子機器及び充電器に接触型の充電端子を採用した場合、電子機器の小型・軽量化に伴い充電端子どうしが接触する部分に浮きが生じて確実に充電できないおそれがある。
【０００９】
そこで、図６や図７の電子機器１２０、１３０及び充電器１２２、１３２に、電子機器と充電器とをロックするロック機構を有するタイプも開発されている。しかしながら、何れも充電時は据え置き型であり、載置の安定化のため、充電器の小型・軽量化は困難であった。
【００１０】
本発明は、上記の問題点に鑑み、接触型の充電端子を有し、充電時の浮きを防止し、更に小型・軽量化した充電器を提供することを目的とする。
【００１１】
【課題を解決するための手段】
上記目的を達成するために本発明は、接触式の充電器において、内面に充電端子と内面の側壁にロック爪とを設けた凹部を備え、電子機器の受け部と前記ロック爪とが係合することにより、電子機器を装着方向に固定する。従って、充電端子のバネ性に起因する充電時の浮きを防止でき、接触不良をなくすことができる。また、凹部により電子機器を固定するので従来のように据え置き型にしなくても電子機器が充電器から外れてしまう心配がなくなり、載置の安定化を考慮せずに小型・軽量化の充電器を設計することができる。そして、充電器を小型にすることで外出時に電子機器と併せて容易に携帯でき、外出先で充電可能となる。
【００１２】
また、前記凹部の内面の側壁に前記電子機器の装着方向に沿って突条のガイドリブを形成し、該ガイドリブに前記電子機器の溝部を挿嵌させることにより、電子機器の装着方向に垂直な方向に電子機器を固定する。
【００１３】
なお、前記凹部の内面の側壁に前記電子機器の装着方向に沿って溝部を形成し、該溝部に前記電子機器の突条のガイドリブを挿嵌させることにより、電子機器の装着方向に垂直な方向に電子機器を固定するようにしてもよい。
【００１４】
このように、ガイドリブや溝部を形成することにより、ガイドリブ、溝部、及びロック爪が形成されていない側壁は取り除いても電子機器を固定できる。従って、充電器を小型・軽量化することができる。
【００１５】
また、前記凹部の側壁にスリットを設けることにより、充電器を小型・軽量化することができる。特にロック爪の両側の側壁にスリットを設けることにより、その側壁に弾性をもたすことができ、ロック爪と受け部との着脱を容易にできる。
【００１６】
また本発明は、接触式の充電器において、開口形状が略コ字型で、内面に前記充電端子と内面の側壁にロック爪とを設けた凹部を備え、前記ロック爪を設けていない前記凹部の内面の互いに対向する側壁にそれぞれ前記電子機器の装着方向に沿って突条のガイドリブを形成することにより、該ガイドリブに前記電子機器の溝部を挿嵌させ、前記ロック爪と前記電子機器の受け部が係合した状態で、本充電器の充電端子と前記電子機器の充電端子が接触して充電可能となる。
【００１７】
この構成によると、電子機器の充電時の浮きを防止し、更に小型・軽量化した充電器を実現できる。
【００１８】
【発明の実施の形態】
以下に本発明の実施形態について図面を参照して説明する。図１は、充電器の外観斜視図であり、図２は、電子機器の外観斜視図である。充電器１０は、電子機器２０を装着する開口形状が略コ字型の凹部１１を備え、凹部１１を形成する側壁１２ａの内面には電子機器２０の受け部２１と係合するロック爪１３が形成され、ロック爪１３が形成されていない他の側壁１２ｂ、１２ｃの内面には電子機器２０の装着方向に沿って突条のガイドリブ１４ａ、１４ｂが形成される。また、凹部１１の内面には、電子機器２０の充電端子２２ａ、２２ｂと接触するバネ性を有した充電端子１５ａ、１５ｂが設けられる。なお、側壁１２ａと側壁１２ｂとの間、及び側壁１２ａと側壁１２ｃとの間に隙間（スリット）を設けることにより、側壁１２ａに弾性をもたすことができ、ロック爪１３と受け部２１との着脱を容易にしている。
【００１９】
電子機器２０の裏面には充電器１０のロック爪１３と係合する受け部２１が形成され、両側面の下部には充電器１０のガイドリブ１４ａ、１４ｂに挿嵌する溝部２３ａ、２３ｂが形成され、底面には充電器１０の充電端子１５ａ、１５ｂとそれぞれ接触する充電端子２２ａ、２２ｂが設けられる。
【００２０】
図３に、電子機器２０を充電器１０に装着した正面透過図を示す。上記の電子機器２０を充電器１０に装着すると、ガイドリブ２２ａ、２２ｂに溝部２３ａ、２３ｂが挿嵌して装着方向に垂直な方向に固定し、ロック爪１３が受け部２１に係合して装着方向に固定することにより、電子機器２０と充電器１０とが固定される。この固定状態において、充電端子２２ａ、２２ｂと充電端子１５ａ、１５ｂとが接触するので充電可能となる。図３では、充電時に電子機器の操作面（表面）が覆われることがないため、充電しながらでも電子機器１０を使用することができる。
【００２１】
このように、接触型の充電端子を採用してもロック爪１３と受け部２１を設けることにより、充電端子１５ａ、１５ｂのバネ性に起因する充電時の浮きを防止できる。更に、ガイドリブ１４ａ、１４ｂ及び溝部２３ａ、２３ｂを設けることにより電子機器２０は充電器１０に固定されるので、従来の載置型の充電器１２２、１３２のように安定に載置できる形状とする必要がなく、小型・軽量化した充電器を実現できる。
【００２２】
なお、上記では充電器１０の凹部１１の開口形状は小型・軽量化のため略コ字型としているがその形状には特に限定はなく、開口形状は略四角形としてもよく、即ち、側壁１２ａに対向して側壁１２ｂ、１２ｃと一体化した側壁を設けてもよい。但し、開口形状は電子機器の形状に合わせる必要があり、例えば、電子機器が丸棒型であれば開口形状も丸型とする。
【００２３】
なお、上記では充電器１０にガイドリブ１４ａ、１４ｂを設け、電子機器２０に溝部２３ａ、２３ｂを設けることにより電子機器２０と充電器１０とを装着方向に垂直な方向に固定しているが、その方向に固定できれば他の手段を用いてもよい。例えば、上記とは逆に充電器１０に溝部を設け、電子機器２０にガイドリブを設けてもよい。また、ガイドリブ及びそれに対応した溝部は少なくとも１組設ければその役割を果たすことができる。
【００２４】
なお、図１に示したロック爪１３は必ずしも側壁１２ａに設ける必要はなく、側壁１２ｂ又は１２ｃにガイドリブ１４ａ又は１４ｂと重ならないように設けてもよい。それに伴い電子機器２０の溝部２３ａ、２３ｂの位置も変更する。これにより、側壁１２ａを取り除くことができ、更に小型・軽量化することができる。
【００２５】
また、図１に示したガイドリブ１４ａ、１４ｂは充電時に電子機器１０を固定するためのものであり、電子機器１０がぐらつかない程度の長さがあれば問題ない。そして、側壁１２ａ、１２ｃはガイドリブ１４ａ、１４ｂと同じ長さとするのが好ましい。
【００２６】
本発明の充電器は、電子機器の充電器であり、特に携帯可能な小型の電子機器に対して有効に利用でき、携帯電話機をはじめ、ＰＤＡ、デジタルカメラ等の充電器に適用することができる。充電器を小型にすることで外出時に電子機器と併せて容易に携帯でき、外出先で充電可能となる。
【００２７】
【発明の効果】
本発明によると、内面に充電端子と内面の側壁にロック爪とを設けた凹部を備え、電子機器の受け部とロック爪とが係合することにより、電子機器を装着方向に固定する。従って、充電端子のバネ性に起因する充電時の浮きを防止でき、接触不良をなくすことができる。また、凹部により電子機器を固定するので従来のように据え置き型にしなくても電子機器が充電器から外れてしまう心配がなくなり、載置の安定化を考慮せずに小型・軽量化の充電器を設計することができる。そして、充電器を小型にすることで外出時に電子機器と併せて容易に携帯でき、外出先で充電可能となる。
【００２８】
更に、ガイドリブ及び溝部を設けることにより、電子機器を充電器に装着方向とは垂直な方向に固定することができるので、従来の載置型の充電器のように安定に載置できる形状とする必要がなく、凹部の側壁の一部を取り除くことで小型・軽量化した充電器を実現できる。
【図面の簡単な説明】
【図１】本発明の充電器の外観斜視図である。
【図２】本発明の充電器に接続する電子機器の外観斜視図である。
【図３】本発明の充電器に電子機器を装着した正面透過図を示す。
【図４】従来の電源ジャックを有するタイプの電子機器の外観斜視図である。
【図５】従来のシステム端子を併用した充電端子を有するタイプの電子機器の外観斜視図である。
【図６】従来の縦型の投げ込みタイプの電子機器と充電器の外観斜視図である。
【図７】従来の横型の機器全体を受けるタイプの電子機器と充電器の外観斜視図である。
【符号の説明】
１０    充電器
１１    凹部
１２ａ〜１２ｃ    側壁
１３    ロック爪
１４ａ、１４ｂ    ガイドリブ
１５ａ、１５ｂ    充電器の充電端子
２０    電子機器
２１    受け部
２２ａ、２２ｂ    電子機器の充電端子
２３ａ、２３ｂ    溝部
【図１】
2004187341.tif 000003
【図２】
2004187341.tif 000004
【図３】
2004187341.tif 000005
【図４】
2004187341.tif 000006
【図５】
2004187341.tif 000007
【図６】
2004187341.tif 000008
【図７】
2004187341.tif 000009